(57)【特許請求の範囲】
【請求項１】
少なくとも２つのコンポーネント（２、３）を備え、そのそれぞれが多重量子ウェル（ＭＱＷ）構造を持った多重層（４、１４）を有し、
この多重層（４、１４）がその材料組成或いはその中に存在する層の厚さ及び数に基づいて互いに異なる多重量子ウェル構造を形成し、
これらの多重層が互いに重ねて配置された均質な層の積重ね部分であり、
しかも多重量子ウェル構造を備えた多重層の１つに或いはこれらの多重層に属する各２つの層の間に、これらの多重層の少なくとも１つに属する層のみが存在する半導体材料の多重量子ウェル構造を備えたオプトエレクトロニクスデバイスにおいて、
前記コンポーネントがレーザダイオード（３）と変調器（２）であり
レーザダイオードのために設けられた多重量子ウェル構造を備える多重層（４）が、変調器のために設けられた多重層（１４）の層の間に配置された
ことを特徴とするデバイス。
【請求項２】
変調器のために設けられている多重量子ウェル構造を備えた多重層（１４）が変調器の範囲にのみ存在している層を含むことを特徴とする請求項１記載のデバイス。
【請求項３】
多重量子ウェル構造を備えた多重層（４、１４）がレーザダイオードの範囲並びに変調器の範囲に存在している層のみを含むことを特徴とする請求項１記載のデバイス。
【請求項４】
多重量子ウェル構造を備えた少なくとも１つの多重層のレーザダイオードの範囲にＤＦＢ格子或いはＤＢＲ格子が形成されていることを特徴とする請求項１から３の１つに記載のデバイス。
【発明の詳細な説明】
【０００１】
【発明の属する技術分野】
この発明は、少なくとも２つのコンポーネントを備え、そのそれぞれが多重量子ウェル（ＭＱＷ）構造を備えた多重層を有するオプトエレクトロニクスデバイスに関する。
【０００２】
【従来の技術】
例えば、レーザと変調器との複合デバイスにおけるように、２個或いは複数個のオプトエレクトロニクス・コンポーネントがモノリシックに集積されているデバイスにおいては、しばしば異なる特性を持つ異なる多重量子ウェル（ＭＱＷ）構造が必要である。このようなＭＱＷ構造は、以下に多重ポテンシャルウエル構造とも呼ばれるが、この構造はそれぞれポテンシャルウエルとして機能する１つの層が２つの障壁層の間に配置されている多重層の繰り返しによって規定されている。通常、ポテンシャルウエル層と障壁層とは互いにそれぞれ同じように形成されている。即ち、両層はそれぞれ同一の材料組成と厚さとを持っている。異なる機能の複数個のオプトエレクトロニクス・コンポーネントを同一のチップ上に集積する場合、相互に著しく異なる複数個のＭＱＷ構造をモノリシックに集積することがしはしば必要である。
【０００３】
例えば、変調器をレーザダイオードと共に共通に集積することについては、モリト（K.Morito）他による刊行物「１０Ｇｂ／ｓ伝送用低波長チャープ、低ドライブ電圧ＭＱＷ変調器集積ＤＦＢレーザ」（A Low-Wavelength-Chirp, Low-Drive-Voltage MQR Modulator Integrated DFB Laser for 10 Gb/s Transmossion)」オプトエレクトロニクス１０、第８９乃至９６頁（１９９５年）に記載されている。ここに挙げられているいわゆる突き合わせ接続構造は、レーザ及び変調器のＭＱＷ多重層を別々に多重エピタキシープロセスで成長させることにより作られる。この刊行物では、例えば、ヤマザキ（H.YAMAZAKI）他による刊行物「バンドギャップエネルギー制御選択性ＭＯＶＰＥによる低ドライブ電圧（１．５ＶP.P.）及び高電力ＤＦＢ−ＬＤ／変調器集積光源(Low Drive Voltage (1.5 V P.P.)and High Power DFB LD/ModulatorIntegrated Light Sources by Bandgap EnergyControlled Selective MOVPE)」光通信についての第２１回ヨーロッパ会議（ＥＣＯＣ’９５、ブラッセル）の議事録第８９７乃至９００頁（１９９５年）に記載されているレーザと変調器との複合デバイスを製造する際に使用されるように、選択エピタキシーにより作られた層構造との比較も行われている。これらの多重エピタキシープロセス或いは選択エピタキシープロセスは時間がかかり、かつ失敗の原因ともなり得る。ラマダン（A.Ramadan)他の刊行物「３６Ｇｈｚバンドギャップ及びネガティブチャープを備えた集積ＭＱＷレーザ変調器(Integrated MQR Laser/Modulator with 36 GhzBandwidth and Negative Chirp) 」光通信についての第２１回ヨーロッパ会議の議事録第８９３乃至８９６頁（１９９５年）においてはただ１回の共通のＭＱＷ構造を持ったレーザ変調器複合デバイスが提案されている。このデバイスの製造は従って１つのエピタキシープロセスで行われる。このＭＱＷ構造はしかし両方の集積コンポーネントに対して同時に最適化されるものではない。
【０００４】
【発明が解決しようとする課題】
この発明の課題は、異なるＭＱＷ構造を備えた複数個のオプトエレクトロニクスコンポーネントのモノリシック集積化をできるだけ簡単に行うことにある。
【０００５】
【課題を解決するための手段】
この課題は、請求項１の特徴を備えたデバイスでもって解決される。この発明のその他の構成例は従属の請求項に記載されている。
【０００６】
この発明によるデバイスにおいては互いに異なるＭＱＷ構造が、１回のエピタキシープロセスで作られかつ同時に２つの或いは複数個の集積コンポーネントに対して最適化を可能とするように集積されている。ＭＱＷ構造は多重層として１回の共通な従って唯一回のエピタキシープロセスで作られる多重層に配置されている。それぞれコンポーネントの１つに最適化されているＭＱＷ多重層は、好ましくは層の面に対して垂直に互いにずれて配置されている。しかしこの多重層の１つは、他のコンポーネントのために設けられるＭＱＷ多重層の集積構成要素となり得る。レーザダイオードと変調器との複合デバイスの場合、レーザダイオードの活性層のために設けられるＭＱＷ構造が変調器の範囲にも設けられると有利である。特に変調器のために設けられる多重層は、好ましくは、一部はこのレーザダイオードのＭＱＷ構造の上に、一部はその下に配置されている。特に変調器のＭＱＷ構造のために設けられる層は、例えば変調器の範囲にのみ成長させられるか或いはレーザダイオードの範囲では後からエッチングにより除去することができる。集積コンポーネントの別々の機能に対して設けられるＭＱＷ多重層は、その中に含まれる層が別の材料組成を持ち及び／又は層の厚さ及び数が異なることによって互いに区別することができる。
【０００７】
【実施例】
次に、この発明によるデバイスを図１乃至図５を参照して詳細に説明する。図はそれぞれこの発明によるレーザ変調器複合デバイスの１つの構成例を縦断面で示す。
【０００８】
図１には同一の基板１に配置された変調器２とレーザダイオード３との複合デバイスが示されている。多重量子ウェル（ＭＱＷ）構造４は変調器２及びレーザダイオード３の範囲に配置されている。レーザダイオード３の活性層のために設けられているこのＭＱＷ構造４はＭＱＷ構造として成長させられた層全体の厚さｌより小さい厚さｍを持っている。変調器２のために設けられた多重層１４は変調器２に対して最適化されたＭＱＷ構造を形成している。レーザダイオード３の範囲ではこの多重層にはレーザダイオードのために設けられたＭＱＷ構造４の上に格子５がエッチングにより形成されている。この格子５はここではＤＦＢ（分布帰還）格子としてレーザの全長にわたって設けられている。しかし格子５はレーザダイオードの全長にわたって設ける必要はなく、レーザの一部分或いは複数部分に限定することもできる。同様にＤＢＲ格子がここにはない鏡端面に対する代わりとして設けることができる。そのために設けられた金属からなる接点８、９を備え高ドープ半導体材料からなる接触層６、７は、変調器２及びレーザダイオードの範囲に別々に電流を注入するためのものである。共通の対向接点は例えば紙面の前後の上面側に、或いは導電的にドープされた基板１の下面側に設けられる。ＭＱＷ構造４の厚さｍは、ＭＱＷ構造のために成長させられた全体の多重層の厚さｌより小さい。変調器２に対して最適化された多重層１４はここではレーザダイオード３のために最適化された構造４よりも厚く示されている。層の厚さは、しかし、両コンポーネントにおいて同じにすることもでき、そして両ＭＱＷ構造の間の差異は異なる材料組成によって与えることができる。
【０００９】
図２及び図３は、基本的には図１のレーザ変調器複合デバイスと同一の構造を示す。しかし図１の実施例とは異なり、レーザダイオード３のために設けられた多重層４は図２の実施例においては変調器２のために設けられた多重層１４の中央に配置され、図３の実施例においては多重層１４の上側の範囲に、即ちＤＦＢ格子５と重なって配置されている。図２及び図３に対応する実施例においても格子５はレーザの全長にわたって設ける必要はない。
【００１０】
図４の実施例においては全体の多重層が変調器及びレーザダイオードの範囲に均一に配置されている。図４の実施例のようにレーザのために設けられたＭＱＷ構造４の構成において、例えば変調器２のための多重層１４の上側部分がレーザダイオードの範囲において、図５に示すように、除去することができる。その場合、変調器２のために設けられている多重層１４の端部にレーザダイオード３に向かって急峻な境界面１１が生ずる。
【００１１】
図示の全ての実施例においてＭＱＷ層の列の上面に、特に格子５をも充満しているカバー層或いは被覆層１０が設けられている。ＭＱＷ構造４の上及び下に、特に光学的及び電気的閉じ込めのために必要とされる被覆層を別に設けることができる。図５の実施例の代りとして、例えば変調器２の範囲において基板１或いはその上に設けられる下側の被覆層の部分を除去することもできる。ＭＱＷ構造４のエピタキシーは、その場合、先ずエッチングで取り除かれた範囲内においてのみ行われる。半導体表面の残りの部分は好適にはマスクで被覆される。多数の層が成長して平らな表面が生じた後、それに続く層が両コンポーネントの範囲において等しく成長させられる。このようにして図５におけるような境界面１１は、レーザダイオード３のために設けられた構造４の上でなく、下に生ずる。
【００１２】
この発明によるデバイスにおいては特にＭＱＷ構造のために設けられている多重層が中断されることなく１回のエピタキシープロセスで成長させられ、従ってＭＱＷ構造に属しない層が多重層中に挿入されることがない。ＭＱＷ構造のために設けられた多重層においては、従って、直接その上に、一方のコンポーネントのＭＱＷ構造のために或いは他方のコンポーネントのＭＱＷ構造のために設けられているか、両方のＭＱＷ構造の部分を形成する層だけが続く。全体の多重層は上側の被覆層１０を設ける前に横方向に帯板状にエッチングすることができる。上側の被覆層１０は、従って、紙面の前面もしくは背面に考えられるこの帯板の側縁部をも被覆する。
【００１３】
全ての層が両コンポーネントに共通な図４の実施例においても、それぞれのＭＱＷ構造４はそれぞれのコンポーネントの要求に合わせて最適化することが可能である。好ましくは、一方のデバイスのＭＱＷ構造を形成する一方の多重層が他方のデバイスのＭＱＷ構造のために設けられた多重層１４の内部に配置されている。しかし両ＭＱＷ構造は、互いに別々に層面に対して垂直方向に互いにずらして配置することもできる。この場合も、コンポーネントのＭＱＷ構造を形成する両多重層を直接互いに接して成長させることができる。レーザダイオードのＭＱＷ構造４が変調器のための包括的な多重層１４の中に挿入されている図示の実施例は、変調器のＭＱＷ構造のために設けられた層がレーザダイオードの範囲において導波に利用できるという利点がある。この発明によるデバイスは、個々のコンポーネントに対して使用可能ないかなる材料系でも、例えばＩｎＧａＡｓＰ或いはＩｎＧａＡｌＡｓで製造される。デバイスの水平方向の、即ち層面における構造は従来の個々のコンポーネントに応じて作られる。例を参照して記載された集積レーザダイオードとこれに付属する変調器とを備えたデバイスに代わって、別々のＭＱＷ構造と実際上任意の機能とを備えた２個或いは複数個のコンポーネントを互いに集積化することもできる。例えば、１つのレーザダイオードを２つの異なる変調器と、或いは２つの互いに異なるレーザダイオード或いはホトダイオードを互いに複合することも可能である。このデバイスの特別な利点は単一のエピタキシープロセスで容易に製造可能であることにある。従って、各層面には均質な組成の唯一の層しか存在しない。
【図面の簡単な説明】
【図１】同一の基板に変調器とレーザダイオードとを形成したこの発明による複合デバイスの断面図。
【図２】この発明による異なる複合デバイスの断面図。
【図３】この発明によるさらに異なる複合デバイスの断面図。
【図４】この発明によるさらに異なる他の複合デバイスの断面図。
【図５】この発明によるさらに異なるまた別の複合デバイスの断面図。
【符号の説明】
１      基板
２      変調器
３      レーザダイオード
４      ＭＱＷ構造
５      格子
６      接触層
７      接触層
８      金属接点
９      金属接点
１０    被覆層
１１    境界面
１４    ＭＱＷ構造
【図１】
0003540925.tif 000002
【図２】
0003540925.tif 000003
【図３】
0003540925.tif 000004
【図４】
0003540925.tif 000005
【図５】
0003540925.tif 000006